【事件の表示】
　特願２００４−３３２２２３「機能パネルの取付構造」拒絶査定不服審判事件〔平成１８年６月８日出願公開，特開２００６−１４４２６８〕について，次のとおり審決する。
【結　論】
　本件審判の請求は，成り立たない。
【理　由】
第１．手続の経緯・本願発明
　本願は，平成１６年１１月１６日の出願であって，平成２１年１０月３０日付けで拒絶査定がなされ，これに対し，平成２２年２月４日に審判請求がなされたものであり，その請求項１，２に係る発明は，出願当初の特許請求の範囲の請求項１，２に記載された事項により特定されるとおりのものであり，そのうち，請求項１に係る発明（以下，「本願発明」という。）は，次のとおりである。
　　　　　　
　「縦桟と横桟とを結合して形成される架台を屋根の上に取り付け、架台に機能パネルを固定することによって屋根に機能パネルを取り付けるようにした機能パネルの取付構造において、縦桟の上面に長手方向に沿ってスライド溝を凹設すると共にスライド溝の上面開口の両縁に沿って係止片を張り出して設け、ねじ孔を穿設して形成される板ナットに位置決め突片を上方へ突出させて設け、この板ナットを係止片の下側に係止すると共に位置決め突片を係止片の間から縦桟の上方へ突出させた状態でスライド溝にスライド自在に挿着し、縦桟の上に交叉して載置された横桟の一側外面に位置決め突片を当接させた状態で板ナットを横桟の下側に配置し、横桟に設けた結合孔に上から通したボルトを板ナットのねじ孔に螺合して成ることを特徴とする機能パネルの取付構造。」
　　　　　
　　　　　
第２．引用刊行物とその記載事項
１．原査定の拒絶の理由に引用され，本願出願前に頒布された刊行物である，特開平１１−１３２３８号公報（以下，「刊行物１」という。）には，「太陽電池モジュール用架台」に関して，図面とともに，次の事項が記載されている。
（1a）「【００１５】
【発明の実施の形態】…図１は、家屋の傾斜した屋根上に太陽電池モジュールを支持固定するためのモジュール用架台の一部を示す分解斜視図である。この図に示すように、モジュール用架台１は、スレートぶき屋根２の勾配方向に配設された複数の縦桟４，４と、これらの縦桟４，４上に、直交するように相互に平行に掛け渡された複数の横桟５，５とにより格子状に構成され、各縦桟４が複数の取付金具７を介して屋根２に固定されている。そして、このモジュール用架台１により、複数の太陽電池モジュール３，３が屋根２上に支持固定されている。」
（1b）「【００２２】一方、モジュール用架台１の縦桟４は、図１〜図３に示すように、アルミの押し出し形材などで構成され、縦桟４の上下左右の面には、長手方向に沿って溝３１，３２，３３，３３が設けられている。上面の溝（上溝）３１は、上向きの断面略「Ｃ」字状に形成されており、この上溝３１内に、回り止め用の座板３４を介し縦桟４に横桟５を固定するためのボルト３５の頭部が収容されている。このボルト３５は、座板３４とともに上溝３１に沿って縦桟４の長手方向に移動自在に構成されている。これにより、縦桟４に対する横桟５の勾配方向の固定位置が自由に調整でき、太陽電池モジュール３の形状に合わせて、隣接する横桟５，５間の間隙を調整できるようになっている。…さらに、左右の面の溝（横溝）３３，３３は、それぞれ外側向きの断面略「Ｃ」字状に形成されており、これらの横溝３３，３３内には、縦桟４と取付金具７とを締結するための雌ねじを形成した裏板（ナット部材）３７，３７がそれぞれ収容されている。
【００２３】各横溝３３は、裏板３７が収容された断面矩形状の第１溝部３３ａと、この第１溝部３３ａの側部から更に縦桟４内へ凸状に連なって形成された第２溝部３３ｂとで構成されている。第１溝部３３ａ内の裏板３７は、第１溝部３３ａに沿って、縦桟４の長手方向に移動自在に構成されている。これにより、縦桟４と、屋根２上の取付金具７とを締結する場合に、取付金具７の固定位置に拘わらず、縦桟４の長手方向の任意の位置に取付金具７を締結することができるようになっている。…」
（1c）そして，上記（1b）の記載を参照して，第３図をみると，縦桟４の上面に長手方向に沿って設けられた上溝３１は，断面略「Ｃ」字状に凹設されたものであって，その上面開口の両縁に沿って係止片が張り出して設けられており，ボルト３５は，その頭部が回り止め用の座板３４とともに上記係止片の下側に係止した状態で上溝３１に移動自在に挿着され，横桟５に設けた結合孔に下から通された上記ボルト３５の先端に横桟５の上からナットのねじ孔が螺合されて，縦桟４に横桟５が固定されることは明らかである。
　　　　　
　上記（1a）〜（1c）の記載及び図面の記載を含む刊行物１全体の記載並びに当業者の技術常識によれば、刊行物１には，次の発明（以下，「刊行物１記載の発明」という。）が記載されているものと認められる。
　「縦桟４と横桟５とにより格子状に構成されるモジュール用架台１を屋根２の上に固定し，モジュール用架台１に太陽電池モジュールを固定することによって屋根２に太陽電池モジュール３を取り付けるようにした太陽電池モジュールの取付構造において，縦桟４の上面に長手方向に沿って上溝３１を凹設すると共に上溝３１の上面開口の両縁に沿って係止片を張り出して設け，ボルト３５をその頭部が回り止め用の座板３４とともに係止片の下側に係止した状態で上溝３１に移動自在に挿着し，横桟５に設けた結合孔に下から通されたボルト３５の先端に横桟５の上からナットのねじ孔を螺合して，縦桟４に横桟５を固定する太陽電池モジュールの取付構造。」
　　　　　
２．同じく，特開２０００−９６７８４号公報（以下，「刊行物２」という。）には，「部材の取付構造」に関して，図面とともに，次の事項が記載されている。
（2a）「【請求項１】側壁に開口する開口部の内側に向けて締着片を突設した有底の溝を備えた取付バーと、前記取付バーの側壁に重合され且つ前記開口部に臨むボルト通し孔を開設した接合壁を有する被着部材と、前記取付バーの溝に摺動自在に嵌入されるナットと、前記被着部材のボルト通し孔を挿通して前記ナットに螺着される頭付きボルトとから成り、ナットとボルトにより締着片と接合壁を挟持締着する構造において、
前記ナットが、前記溝の長手方向に延びるアームを備えると共に、該アームの先端に前記接合壁の側縁に当接するストッパを備え、前記ストッパを接合壁の側縁に当接せしめた状態でナットの雌ねじ孔をボルト通し孔に合致せしめて成ることを特徴とする部材の取付構造。」
（2b）「【０００３】…図１に示すように、屋根を構成する和瓦又は平板瓦等の通常瓦のうち、所定個所に位置する通常瓦を高強度の特殊瓦１に置換し、該特殊瓦１に一体成形したブラケット部２に対して第一被着部材３ａを介して第一取付バー４ａを屋根の勾配に沿って取付けた後、該第一取付バー４ａに対して第二被着部材３ｂを介して第二取付バー４ｂを屋根の勾配に交差して取付け、第一取付バー４ａと第二取付バー４ｂから成る格子状の組付体に太陽電池モジュール等の設備を載設することが行われている。」
（2c）「【００１４】図２に示すように、第一取付バー４ａ及び第二取付バー４ｂは、何れも、アルミニウム等の軽合金による押出し材又は引抜き材から成る長尺レールを構成し、左右両側壁に開口する断面ほぼコ字形とした有底の溝１３、１３を形成し、該溝１３の上下開口縁から内側に対向して突出するリブ状の締着片１４を突設している。…」
（2d）「【００１７】第１図に基づいて上述したように、第一被着部材３ａは、下向き接合壁１１ａ、１１ａを特殊瓦１のブラケット部２に跨設され、前述したようなボルト及びナットにより固着される。第一被着部材３ａの上向き接合壁１２ａ、１２ａには第一取付バー４ａが嵌合され、平板壁１０ａに支持せしめた状態で、第一取付バー４ａの両側壁に第一被着部材３ａの上向き接合壁１２ａ、１２ａを重合せしめ、この状態でボルト通し孔１６ａを溝１３ａの開口部に臨んで連通せしめ、後述するボルト１８及びナット１７により固着される。
【００１８】前記第一取付バー４ａには、上方から第二被着部材３ｂの下向き接合壁１１ｂ、１１ｂが跨設され、平板壁１９ｂを第一取付バー４ａに支持せしめた状態で、第一取付バー４ａの両側壁に第二被着部材３ｂの下向き接合壁１１ｂ、１１ｂを重合せしめ、この状態でボルト通し孔１６ｂを溝１３ｂの開口部に臨んで連通せしめ、後述するボルト１８及びナット１７により固着される。
【００１９】更に、前記第二被着部材３ｂの上向き接合壁１２ｂ、１２ｂには第二取付バー４ｂが嵌合され、平板壁１０ｂに支持せしめた状態で、第二取付バー４ｂの両側壁に第二被着部材３ｂの上向き接合壁１２ｂ、１２ｂを重合せしめ、この状態でボルト通し孔１６ｃを溝１３の開口部に臨んで連通せしめ、後述するボルト１８及びナット１７により固着される。
【００２０】取付バー４ａ、４ｂと被着部材３ａ、３ｂを相互に取付けるため、ナット１７及び頭付きボルト１８と、平ワッシャ１９及びスプリングワッシャ２０が使用され、両ワッシャ１９、２０は予めボルト１８にセットされるのが好ましい。
【００２１】ナット１７は、取付バー４ａ、４ｂの端部から溝１３（１３ａ、１３ｂ及び１３）に挿入されると共に、該溝１３に沿って摺動自在であり、溝１３の長手方向に延びるアーム２１と、該アーム２１の先端を折曲して成るストッパ２２とを有する位置決め手段２３を設けている。
【００２２】前記位置決め手段２３は、ナット１７を各溝１３に挿入した状態で、ストッパ２２を溝１３の開口部から外向きに突出せしめる構成とされており、図３及び図４に示すように、ナット１７を溝１３に沿って摺動せしめると、ストッパ２２が接合壁１１、１２（１２ａ、１１ｂ、１２ｂ）の側縁に当接され、この状態で、ナット１７の雌ねじ孔１７ａをボルト通し孔１６（１６ａ、１６ｂ、１６ｃ）に合致せしめるように位置決めされる。…」
　　　　　
　上記（2a）〜（2d）の記載及び図面の記載を含む刊行物２全体の記載並びに当業者の技術常識によれば，刊行物２には，次の発明（以下，「刊行物２記載の発明」という。）が記載されているものと認められる。
　「屋根の勾配に沿って取付ける取付バー４ａの長手方向に沿って断面ほぼコ字形とした有底の溝１３を形成すると共に溝１３の開口縁から内側に対向して突出するリブ状の締着片１４を設け，雌ねじ孔１７ａを開設して形成されるナット１７に設けたアーム２１の先端にストッパ２２を折曲して設け，ナット１７を締着片１４の溝１３側に係止すると共にストッパ２２を締着片１４の間から突出させた状態で溝１３に摺動自在に挿着し，ストッパ２２を取付バー４ａに被着される被着部材３ａ（３ｂ）の接合壁１２ａ（１１ｂ）の側縁に当接させた状態でナット１７を被着部材３ａ（３ｂ）に設けたボルト通し孔１６ａ（１６ｂ）に合致せしめるように位置決めし，被着部材３ａ（３ｂ）に設けたボルト通し孔１６ａ（１６ｂ）に通したボルト１８をナット１７の雌ねじ孔１７ａに螺合して成るボルト１８とナット１７とによる，太陽電池モジュール等の設備を載設する格子状組付体の取付構造。」
　　　　　
　　　　　
第３．対比・判断
１．本願発明と刊行物１記載の発明との対比
　本願発明と刊行物１記載の発明とを対比すると，
　刊行物１記載の発明の「縦桟４と横桟５とにより格子状に構成される」が本願発明の「縦桟と横桟とを結合して形成される」に相当し，以下同様に，「モジュール用架台１」が「架台」に相当し，「太陽電池モジュール」が「機能パネル」に相当し，「上溝３１」が「スライド溝」に相当し，「移動自在」が「スライド自在」に相当する。
　また，刊行物１記載の発明の「頭部が回り止め用の座板３４とともに係止片の下側に係止した状態で上溝３１に移動自在に挿着」する「ボルト３５」，及び，「横桟５に設けた結合孔に下から通されたボルト３５の先端に横桟５の上から」その「ねじ孔を螺合」する「ナット」と，本願発明の「係止片の下側に係止すると共に位置決め突片を係止片の間から縦桟の上方へ突出させた状態でスライド溝にスライド自在に挿着」する「板ナット」，及び，「横桟に設けた結合孔に上から通し」て「板ナットのねじ孔に螺合」する「ボルト」とが，係止片の下側に係止した状態でスライド溝にスライド自在に挿着するボルト・ナットの一方の部材，及び，横桟に設けた結合孔を介して上記一方の部材に螺合するボルト・ナットの他方の部材で共通する。
　そうすると，両者は，
　「縦桟と横桟とを結合して形成される架台を屋根の上に取り付け，架台に機能パネルを固定することによって屋根に機能パネルを取り付けるようにした機能パネルの取付構造において，縦桟の上面に長手方向に沿ってスライド溝を凹設すると共にスライド溝の上面開口の両縁に沿って係止片を張り出して設け，ボルト・ナットの一方の部材を係止片の下側に係止した状態でスライド溝にスライド自在に挿着し，横桟に設けた結合孔を介してボルト・ナットの他方の部材を上記一方の部材に螺合して，縦桟と横桟とを結合する機能パネルの取付構造。」の点で一致し，次の点で相違する。
＜相違点＞
　縦桟に横桟を取り付けるボルト・ナットについて，
　本願発明では，係止片の下側に係止した状態で縦桟のスライド溝にスライド自在に挿着するボルト・ナットの一方の部材が，「ねじ孔を穿設して形成され」かつ「位置決め突片を上方へ突出させて設け」てなり，「位置決め突片を係止片の間から縦桟の上方へ突出させた状態でスライド溝にスライド自在に挿着し、縦桟の上に交叉して載置された横桟の一側外面に位置決め突片を当接させた状態」で「横桟の下側に配置」する「板ナット」であり，横桟に設けた結合孔を介して上記一方の部材に螺合するボルト・ナットの他方の部材が，「横桟に設けた結合孔に上から通し」て「板ナットのねじ孔に螺合」する「ボルト」であるのに対し，
　刊行物１記載の発明では，上記ボルト・ナットの一方の部材が，その頭部を回り止め用の座板３４とともに係止片の下側に係止した状態でスライド溝（上溝３１）にスライド自在（移動自在）に挿着する「ボルト３５」であり，横桟に設けた結合孔を介して上記一方の部材に螺合するボルト・ナットの他方の部材が，横桟に設けた結合孔に下から通されたボルト３５の先端に横桟の上からそのねじ孔を螺合する「ナット」である点。
　　　　　
２．相違点の検討・判断
　上記相違点について検討する。
　刊行物２には，上記「第２．２．」で説示したとおりの発明が記載されているところ，当該発明には，ストッパ２２（本願発明の「位置決め突片」に相当ないし対応する。以下同様。）を，取付バー４ａ（縦桟）の締着片１４（係止片）の間から突出させた状態で，溝１３（スライド溝）にスライド自在に挿着したアーム２１付きナット１７（板ナット）と，当該ナット１７に穿設して形成される雌ねじ孔１７ａ（ねじ孔）に螺合するボルト１８（ボルト）とを用いてなる，太陽電池モジュール等の設備を載設する格子状組付体の取付構造が開示されているから，本願発明の上記相違点に係る取付構造と，機能構造的にみて実質的に一致する，ボルト・ナットによる格子状組付体の取付構造は，当該技術分野において，従来から公知のものということができる。
　そして，刊行物１には，縦桟に凹設した横溝３３内に，雌ねじを穿設した裏板（ナット部材）３７が収容され，当該裏板３７の雌ねじに締結ボルト３８を螺合してなる取付構造も記載されている（記載事項（1b）を参照。）ことから，刊行物１記載の発明に刊行物２記載の発明に開示された上記技術を適用することは，当業者であれば，容易に思い付くことである。
　してみると，刊行物１記載の発明におけるボルト・ナットによる縦桟への横桟の取付構造に，刊行物２記載の発明に開示された上記ボルト・ナットによる格子状組付体の取付構造の技術を適用して，本願発明の上記相違点に係る構成を想到することは，当業者が容易になし得たことである。
　　　　　
　そして，本願発明全体の効果も，刊行物１，２記載の発明から当業者が予測し得る範囲内のものであって格別なものではない。
　　　　　
　　　　　
第４．むすび
　以上のとおり，本願発明は，刊行物１，２記載の発明から当業者が容易に発明をすることができたものであり，特許法第２９条第２項の規定により特許を受けることができないから，本願の他の請求項に係る発明について検討するまでもなく，本願は，拒絶されるべきものである。
　　　　　　
　よって，結論のとおり審決する。